(57)【要約】温風機制御方法体を開示する。当該方法は、所定の周期で環境温度に対してサンプリングするステップ（Ｓ１００）と、サンプリングにより得られた温度値と所定の温度値とを比較して温度制御信号を得るステップ（Ｓ２００）と、温度制御信号に基づいて発熱体のパワー及び送風機の回転数を調整するステップ（Ｓ３００）を含む。さらに、温風機、温風機制御装置及び記憶媒体を開示する。【選択図】図１
2020521930.tif 000002
【特許請求の範囲】
【請求項１】
所定の周期で環境温度に対してサンプリングするステップと、
サンプリングにより得られた温度値と所定の温度値とを比較して温度制御信号を得るステップと、
温度制御信号に基づいて発熱体のパワー及び送風機の回転数を調整するステップと、
を含む温風機制御方法。
【請求項２】
サンプリングにより得られた温度値と所定の温度値とを比較して温度制御信号を得る前記ステップは、
サンプリングにより得られた温度値と所定の温度値との差を求め、求められた差分値を変換して温度制御信号を生成する
ことを含む請求項１に記載の温風機制御方法。
【請求項３】
温度制御信号に基づいて発熱体のパワー及び送風機の回転数を調整する前記ステップは、
所定の温度値からサンプリングにより得られた温度値を引いた差分値が第一所定差分値より大きい場合、送風機を高レベル回転数で回動を行うように制御し、及び発熱体を高レベルパワーで加熱を行うように制御する
ことを含む請求項２に記載の温風機制御方法。
【請求項４】
前記第一所定差分値は摂氏５度であり、前記高レベル回転数の範囲は１８００〜２３００回転／分で、前記高レベルパワーの範囲は１８００〜２２００ワットである請求項３に記載の温風機制御方法。
【請求項５】
温度制御信号に基づいて発熱体のパワー及び送風機の回転数を調整する前記ステップは、
所定の温度値からサンプリングにより得られた温度値を引いた差分値が第一所定差分値と第二所定差分値との間にある場合、送風機を高レベル回転数で回動を行うように制御し、及び発熱体を低レベルパワーで加熱を行うように制御する
ことを含む請求項２に記載の温風機制御方法。
【請求項６】
前記第一所定差分値は摂氏５度であり、前記第二所定差分値は摂氏３度であり、前記低レベル回転数の範囲は９００〜１６００回転／分で、前記高レベルパワーの範囲は１８００〜２２００ワットである請求項５に記載の温風機制御方法。
【請求項７】
温度制御信号に基づいて発熱体のパワー及び送風機の回転数を調整する前記ステップは、
所定の温度値からサンプリングにより得られた温度値を引いた差分値が第二所定差分値より小さく且つ０より大きい場合、送風機を低レベル回転数で回動を行うように制御し、及び発熱体を低レベルパワーで加熱を行うように制御する
ことを含む請求項２に記載の温風機制御方法。
【請求項８】
第二所定差分値は摂氏３度であり、前記低レベル回転数の範囲は９００〜１６００回転／分で、前記低レベルパワーの範囲は９００〜１６００ワットである請求項７に記載の温風機制御方法。
【請求項９】
温度制御信号に基づいて発熱体のパワー及び送風機の回転数を調整する前記ステップは、
サンプリングにより得られた温度値が所定の温度値に達した時、送風機に対して作動を停止するように制御し、所定時間遅らせて、発熱体に対して作動を停止するように制御する
ことを含む請求項１に記載の温風機制御方法。
【請求項１０】
メモリー、プロセッサー、及び前記メモリーに記憶されて且つ前記プロセッサーで実行される温風機制御プログラムを含み、前記温風機制御プログラムが前記プロセッサーにより実行される時、
所定の周期で環境温度に対してサンプリングするステップと、
サンプリングにより得られた温度値と所定の温度値とを比較して温度制御信号を得るステップと、
温度制御信号に基づいて発熱体のパワー及び送風機の回転数を調整するステップと
を実現する温風機制御装置。
【請求項１１】
サンプリングにより得られた温度値と所定の温度値とを比較して温度制御信号を得る前記ステップは、
サンプリングにより得られた温度値と所定の温度値との差を求め、求められた差分値を変換して温度制御信号を生成する
ことを含む請求項１０に記載の温風機制御装置。
【請求項１２】
温度制御信号に基づいて発熱体のパワー及び送風機の回転数を調整する前記ステップは、
所定の温度値からサンプリングにより得られた温度値を引いた差分値が第一所定差分値より大きい場合、送風機を高レベル回転数で回動を行うように制御し、及び発熱体を高レベルパワーで加熱を行うように制御する
ことを含む請求項１１に記載の温風機制御装置。
【請求項１３】
前記第一所定差分値は摂氏５度であり、前記高レベル回転数の範囲は１８００〜２３００回転／分で、前記高レベルパワーの範囲は１８００〜２２００ワットである請求項１２に記載の温風機制御装置。
【請求項１４】
温度制御信号に基づいて発熱体のパワー及び送風機の回転数を調整する前記ステップは、
所定の温度値からサンプリングにより得られた温度値を引いた差分値が第一所定差分値と第二所定差分値の間にある場合、送風機を高レベル回転数で回動を行うように制御し、及び発熱体を低レベルパワーで加熱を行うように制御する
ことを含む請求項１１に記載の温風機制御装置。
【請求項１５】
前記第一所定差分値は摂氏５度であり、前記第二所定差分値は摂氏３度であり、前記低レベル回転数の範囲は９００〜１６００回転／分で、前記高レベルパワーの範囲は１８００〜２２００ワットである請求項１４に記載の温風機制御装置。
【請求項１６】
温度制御信号に基づいて発熱体のパワー及び送風機の回転数を調整する前記ステップは、
所定の温度値からサンプリングにより得られた温度値を引いた差分値が第二所定差分値より小さく且つ０より大きい場合、送風機を低レベル回転数で回動を行うように制御し、及び発熱体を低レベルパワーで加熱を行うように制御する
ことを含む請求項１１に記載の温風機制御装置。
【請求項１７】
筺体、発熱体、送風機及び温風機制御装置を含む温風機であって、前記発熱体、送風機及び温風機制御装置は何れも前記筐体内に設置され、前記温風機制御装置は、メモリー、プロセッサー、及び前記メモリーに記憶されて且つ前記プロセッサーで実行される温風機制御プログラムを含み、前記温風機制御プログラムが前記プロセッサーにより実行される時、
所定の周期で環境温度に対してサンプリングするステップと、
サンプリングにより得られた温度値と所定の温度値とを比較して温度制御信号を得るステップと、
温度制御信号に基づいて発熱体のパワー及び送風機の回転数を調整するステップと
を実現する温風機。
【請求項１８】
サンプリングにより得られた温度値と所定の温度値とを比較して温度制御信号を得る前記ステップは、
サンプリングにより得られた温度値と所定の温度値との差を求め、求められた差分値を変換して温度制御信号を生成する
ことを含む請求項１７に記載の温風機。
【請求項１９】
温度制御信号に基づいて発熱体のパワー及び送風機の回転数を調整する前記ステップは、
所定の温度値からサンプリングにより得られた温度値を引いた差分値が第一所定差分値より大きい場合、送風機を高レベル回転数で回動を行うように制御し、及び発熱体を高レベルパワーで加熱を行うように制御する
ことを含む請求項１８に記載の温風機。
【請求項２０】
温風機制御プログラムが記憶されており、前記温風機制御プログラムがプロセッサーにより実行される時、温風機制御方法の、
所定の周期で環境温度に対してサンプリングするステップと、
サンプリングにより得られた温度値と所定の温度値とを比較して温度制御信号を得るステップと、
温度制御信号に基づいて発熱体のパワー及び送風機の回転数を調整するステップと
を実現する記憶媒体。
【発明の詳細な説明】
【技術分野】
【０００１】
本願は温風機の技術分野に関し、特に温風機制御方法、装置、温風機及び記憶媒体に関する。
【背景技術】
【０００２】
温風機とは一種の採暖機器であり、通常では、温風機には何れも筐体、送風機、発熱体、制御器等が設置されている。その作動原理は、送風機が風を生じて、発熱体が発した熱を強制的に吹き出して、暖房効果を得る。
【０００３】
しかし、従来の温風機では、熱量制御の際に、発熱体のパワーを制御することで室内温度を調節するだけであって、このような調節方法では、温度上昇が比較的遅く、調節や制御の精度が悪く、頻繁に採暖を操作や制御する必要がある。
【発明の概要】
【発明が解決しようとする課題】
【０００４】
本願の主な目的は、温度上昇を加速させ、調節や制御の精度を向上させ、操作や制御の頻度を下げるための温風機制御方法を提案することである。
【課題を解決するための手段】
【０００５】
上記目的を達成するために、本願が提案する温風機制御方法は、所定の周期で環境温度に対してサンプリングするステップと、サンプリングにより得られた温度値と所定の温度値とを比較して温度制御信号を得るステップと、温度制御信号に基づいて発熱体のパワー及び送風機の回転数を調整するステップとを含む。
【０００６】
好ましくは、サンプリングにより得られた温度値と所定の温度値とを比較して温度制御信号を得る前記ステップは、サンプリングにより得られた温度値と所定の温度値との差を求め、求められた差分値を変換して温度制御信号を生成することを含む。
【０００７】
好ましくは、温度制御信号に基づいて発熱体のパワー及び送風機の回転数を調整する前記ステップは、所定の温度値からサンプリングにより得られた温度値を引いた差分値が第一所定差分値より大きい場合、送風機を高レベル回転数で回動を行うように制御し、及び発熱体を高レベルパワーで加熱を行うように制御することを含む。
【０００８】
好ましくは、前記第一所定差分値は摂氏５度であり、前記高レベル回転数の範囲は１８００〜２３００回転／分で、前記高レベルパワーの範囲は１８００〜２２００ワットである。
【０００９】
好ましくは、温度制御信号に基づいて発熱体のパワー及び送風機の回転数を調整する前記ステップは、所定の温度値からサンプリングにより得られた温度値を引いた差分値が第一所定差分値と第二所定差分値の間にある場合、送風機を高レベル回転数で回動を行うように制御し、及び発熱体を低レベルパワーで加熱を行うように制御することを含む。
【００１０】
好ましくは、前記第一所定差分値は摂氏５度であり、前記第二所定差分値は摂氏３度であり、前記低レベル回転数の範囲は９００〜１６００回転／分で、前記高レベルパワーの範囲は１８００〜２２００ワットである。
【００１１】
好ましくは、温度制御信号に基づいて発熱体のパワー及び送風機の回転数を調整する前記ステップは、所定の温度値からサンプリングにより得られた温度値を引いた差分値が第二所定差分値より小さく且つ０より大きい場合、送風機を低レベル回転数で回動を行うように制御し、及び発熱体を低レベルパワーで加熱を行うように制御することを含む。
【００１２】
好ましくは、第二所定差分値は摂氏３度であり、前記低レベル回転数の範囲は９００〜１６００回転／分で、前記低レベルパワーの範囲は９００〜１６００ワットである。
【００１３】
好ましくは、温度制御信号に基づいて発熱体のパワー及び送風機の回転数を調整する前記ステップは、サンプリングにより得られた温度値が所定の温度値に達した時、送風機に対して作動を停止するように制御し、所定の時間遅らせて、発熱体に対して作動を停止するように制御することを含む。
【００１４】
本願は温風機制御装置を提案する。前記温風機制御装置は、メモリー、プロセッサー、及び前記メモリーに記憶されて且つ前記プロセッサーで実行される温風機制御プログラムを含み、前記温風機制御プログラムが前記プロセッサーにより実行される時、上記の方法のステップを実現する。
【００１５】
本願は温風機を提案する。前記温風機は筐体、発熱体、送風機組立品及び上記に記載の温風機制御装置を含み、前記発熱体、送風機組立品及び温風機制御装置は何れも前記筐体に設置されている。
【００１６】
本発明はさらに記憶媒体を提案する。前記記憶媒体には温風機制御プログラムが記憶されており、前記温風機制御プログラムがプロセッサーにより実行される時、上記に記載の温風機制御方法のステップを実現する。
【００１７】
本願の技術案によれば、環境の温度値を検知して、所定の温度値と比較することで、温度制御信号を得て、当該温度制御信号に基づいて同時に送風機回転数と発熱体パワーを調節して、温度上昇速度を加速させることで、より精確に恒温制御を実現して、採暖操作や制御の頻度を下げて、制御の性能を高められる。
【図面の簡単な説明】
【００１８】
本願実施例及び従来技術の技術案をより明確に説明するため、以下では、実施例或いは従来技術の説明に必要とされる図面を簡単に紹介する。下記説明における図面は本願の一部の実施例に過ぎないことは明らかであって、当業者にとって、創造的な労働を行わないことを前提に、これらの図面が示す構造により他の図面を得ることができる。
【図１】本願の温風機制御方法の一実施例の流れ図である。
【図２】本願の温風機の一実施例の断面図である。
【図３】本願の温風機の一実施例の電気制御構成図である。
【００１９】
図面を参照して、実施例と組み合わせて本願目的の実現、機能特徴及び長所をさらに説明する。
【発明を実施するための形態】
【００２０】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２１】
もし本願実施例で方向性指示（例えば上、下、左、右、前、後．．．）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明すべきである。
【００２２】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００２３】
本願は温度機の制御方法を提案する。当該方法は温風機の採暖制御に用いることは容易に理解できるであろう。
【００２４】
図１に示すように、本願実施例において、当該温風機制御方法は、
Ｓ１００、所定の周期で環境温度に対してサンプリングすることと、
Ｓ２００、サンプリングにより得られた温度値と所定の温度値とを比較して温度制御信号を得ることと、
Ｓ３００、温度制御信号に基づいて発熱体のパワー及び送風機の回転数を調整することを含む。
【００２５】
温風機には送風機と発熱体が取り付けられていることは、説明しておく必要がある。本実施例では、当該発熱体は正温度係数加熱シートを採用する。温度のサンプリングは温風機の吸気口に設置されているサーミスターにより実現する。発熱体は空気の加熱に用いられ、送風機は発熱体が発生する熱空気の対流を加速させて、室内の温度分布を均一にして、温度上昇を加速させるのに用いられる。
【００２６】
ステップＳ２００において、温度値と所定の温度値とを比較することで、環境温度の高さを判断できる。本実施例では、発熱体は二つのパワーレベルを有し、送風機も二つの回転数レベルを有する。さらに制御の精度を向上させるために、発熱体の作動レベルの数及び送風機の作動レベルの数を増やすことは可能である。
【００２７】
環境温度が比較的低い時、発熱体をハイパワーレベルで作動するように制御して、そして送風機を高回転数レベルで運転するように制御する。環境温度徐々に上昇するにつれて、発熱体と送風機の作動レベルを調整でき、両者が相まって、スピーディに暖房して、そして恒温制御を実現する。
【００２８】
本願の技術案によれば、環境の温度値を検知して、所定の温度値と比較することで、温度制御信号を得て、当該温度制御信号に基づいて同時に送風機回転数と発熱体パワーを調節して、温度上昇速度を加速させることで、より精確に恒温制御を実現して、採暖操作や制御の頻度を下げて、制御の性能を高められる。
【００２９】
具体的には、前記「サンプリングにより得られた温度値と所定の温度値とを比較して温度制御信号を得ること」は、サンプリングにより得られた温度値と所定の温度値との差を求め、求められた差分値を変換して温度制御信号を生成することを含む。
【００３０】
本実施例では、差を求める方法で比較を行って、環境温度の高さを判断することにしている。この他に、他の比較方法により判断を行える。例えば、サンプリングされた温度値を所定の温度値で除算して、除算で得られた商に基づいて判断する。
【００３１】
具体的には、前記「温度制御信号に基づいて発熱体のパワー及び送風機の回転数を調整すること」は、所定の温度値からサンプリングにより得られた温度値を引いた差分値が第一所定差分値より大きい場合、送風機を高レベル回転数で回動を行うように制御し、及び発熱体を高レベルパワーで加熱を行うように制御することを含む。
【００３２】
本実施例では、前記第一所定差分値は摂氏５度であり、前記高レベル回転数の範囲は１８００〜２３００回転／分で、前記高レベルパワーの範囲は１８００〜２２００ワットである。説明しておく必要があるのは、所定の温度値からサンプリングにより得られた温度値を引いた差分値が摂氏５度より大きい場合、環境温度が比較的低く、早急に暖房が必要であるということになる。この時、温風機の送風機は高いパワーレベルで作動し、発熱体も高いパワーレベルで作動している。
【００３３】
具体的には、前記「温度制御信号に基づいて発熱体のパワー及び送風機の回転数を調整すること」は、所定の温度値からサンプリングにより得られた温度値を引いた差分値が第一所定差分値と第二所定差分値の間にある場合、送風機を高レベル回転数で回動を行うように制御し、及び発熱体を低レベルパワーで加熱を行うように制御することを含む。
【００３４】
本実施例では、前記第一所定差分値は摂氏５度であり、前記第二所定差分値は摂氏３度であり、前記低レベル回転数の範囲は９００〜１６００回転／分で、前記高レベルパワーの範囲は１８００〜２２００ワットである。比較される差分値が摂氏３度〜摂氏５度の間にある場合、環境温度が上昇し、環境快適度が向上していることになる。この時、送風機の回転数を適宜下げて、送風機の回転数が低レベル回転数で作動するようにして、送風機の騒音を下げて、人に対する悪影響を低減する。
【００３５】
具体的には、前記「温度制御信号に基づいて発熱体のパワー及び送風機の回転数を調整すること」は、所定の温度値からサンプリングにより得られた温度値を引いた差分値が第二所定差分値より小さく且つ０より大きい場合、送風機を低レベル回転数で回動を行うように制御し、及び発熱体を低レベルパワーで加熱を行うように制御することを含む。
【００３６】
本実施例では、第二所定差分値は摂氏３度であり、前記低レベル回転数の範囲は９００〜１６００回転／分で、前記低レベルパワーの範囲は９００ワット〜１６００ワットである。比較される差分値が摂氏３度以内にある場合、環境温度が既に所定の温度値に接近しており、スピーディに暖房する必要がなく、温度の微調整を行う必要があるということになる。この時、発熱体の加熱パワーを下げて、発熱体が低レベルパワーで作動して、送風機の回転数が低レベル回転数で作動するようにして、エネルギー消費を下げて、恒温制御能力を向上させる。
【００３７】
具体的には、前記「温度制御信号に基づいて発熱体のパワー及び送風機の回転数を調整すること」は、サンプリングにより得られた温度値が所定の温度値に達した時、送風機に対して作動を停止するように制御し、所定の時間遅らせて、発熱体に対して作動を停止するように制御することを含む。
【００３８】
送風機が回動する時、振動の騒音が発生するので、サンプリングにより得られた温度値が所定の温度値に達した後で、まずは送風機の電源を切り、送風機の作動を停止させることで、騒音を低減する。
【００３９】
本願は温風機制御装置を提案する。前記温風機制御装置は、メモリー、プロセッサー、及び前記メモリーに記憶されて且つ前記プロセッサーで実行できる温風機制御プログラムを含み、前記温風機制御プログラムが前記プロセッサーにより実行される時、上記に記載の方法のステップを実現する。
【００４０】
図２を参照し、本願は温風機を提案する。前記温風機は筐体３０、発熱体５０、送風機組立品４０及び上記に記載の温風機制御装置を含み、前記発熱体５０、送風機組立品４０及び温風機制御装置は何れも前記筐体３０に設置されている。当該温風機制御装置の具体的な構造と機能については、上記実施例を参照されたい。本温風機は上記全ての実施例の全ての技術案を採用したので、少なくとも上記実施例の技術案がもたらす全ての有益効果を有し、ここでは逐一贅言しない。
【００４１】
本実施例では、図３を参照し、当該温風機は制御ボード１０及び駆動ボード２０を含み、制御ボード１０と駆動ボード２０の間が接続され、制御ボード１０は温度をサンプリングするための感温プローブと接続されている。制御ボード１０にはメモリー及びプロセッサーが設置されており、メモリーにはコンピュータプログラムが記憶され、前記コンピュータプログラムが前記プロセッサーにより実行される時、上記に記載の温風機制御方法のステップを実現する。
【００４２】
当該駆動ボード２０には更にプラグＸＰ、電源スイッチＫ１、転倒スイッチＫ２、及び温度リミッターＫ３が接続されており、電源スイッチＫ１の一端は前記プラグＸＰと接続され、前記電源スイッチＫ１の他端は前記転倒スイッチＫ２の一端と接続され、前記転倒スイッチＫ２の他端は前記温度リミッターＫ３を介して前記駆動ボード２０と接続されている。
【００４３】
温風機の発熱体ＰＴＣ（即ち図２における発熱体５０）の一端は前記駆動ボード２０と接続され、他端は前記プラグＸＰと接続される。温風機のシンクロモータＧＳの一端は前記駆動ボード２０と接続され、シンクロモータＧＳの他端は前期プラグＸＰと接続される。温風機の隈取磁極モータＧＭの一端は前記駆動ボード２０と接続され、隈取磁極モータＧＭの他端は前記プラグＸＰと接続されている。シンクロモータＧＳは温風機送風口のスイングを制御するためのものであり、隈取磁極モータＧＭは送風機の回動を制御するためのものである。
【００４４】
本発明はさらに記憶媒体を提案する。前記記憶媒体には温風機制御プログラムが記憶されており、前記温風機制御プログラムがプロセッサーにより実行される時、上記に記載の温風機制御方法のステップを実現する。
【００４５】
以上の実施態様の説明を通して、当業者ははっきりと、上記の実施例の方法はソフトウェアに必要な汎用ハードウェアプラットフォームを加える方法（勿論ハードウェアでもいいが、多くの場合では前者はより良い実施方法）で実現できると理解できる。このような理解に基づいて、本願の技術案は、本質としては、或いは先行技術に対し貢献する部分は、ソフトウェア製品の形式で体現できる。当該コンピュータソフトウェア製品は上記のような記憶媒体（例えばＲＯＭ／ＲＡＭ、磁気ディスク、光ディスク）の中に記憶でき、一台の端末機器（携帯電話、計算機、サーバー、エアコン、或いはネットワーク機器等でもよい）に本願の各実施例で説明した方法を実行させる幾つかの命令を含む。
【００４６】
以上に述べたことは本願の好ましい実施例にすぎず、それによって本願の特許の範囲を制限するわけではない。本願の出願構想の下で、本願の明細書及び図面の内容を利用してなされた等価な構造変換、或いは他の関連する技術分野への直接／間接的な応用は、何れも本願の特許の保護範囲に含まれる。
【符号の説明】
【００４７】
Ｋ１  電源スイッチ
Ｋ２  転倒スイッチ
Ｋ３  温度リミッター
ＰＴＣ  発熱体
ＧＭ  隈取磁極モータ
ＧＳ  シンクロモータ
ＲＴ  サーミスター
ＸＰ  プラグ
１０  制御ボード
２０  駆動ボード
３０  筐体
４０  送風機
５０  発熱体
６０  温風機制御装置
【図１】
2020521930.tif 000003
【図２】
2020521930.tif 000004
【図３】
2020521930.tif 000005
【国際調査報告】
2020521930.tif 000006
2020521930.tif 000007
2020521930.tif 000008
2020521930.tif 000009